(57)【特許請求の範囲】
【請求項１】
車両の開口部の一端側にて開閉可能に支持される第１のドアと、
車両の開口部の他端側にて開閉可能に支持される第２のドアと、
前記第１のドアの周縁部に装着されるとともに、第１の基底部及び当該第１の基底部から突出形成された中空状の第１のシール部を備える第１のドアウエザストリップと、
前記第２のドアの周縁部に装着されるとともに、第２の基底部及び当該第２の基底部から突出形成された中空状の第２のシール部を備える第２のドアウエザストリップとを備え、前記第１のドア及び前記第２のドアが観音扉状に開閉する車両において、
前記第２のドアウエザストリップは、自身の上端部から前記第１のドア側に延出する延出部を有し、
前記第１、第２のドアの閉時には、前記第２のシール部及び前記延出部が前記開口部周縁に圧接するとともに、前記第１のシール部が前記延出部及び前記開口部周縁に圧接することで前記第１、第２のドア及び前記開口部周縁間をシールするシール構造であって、
前記延出部には、当該延出部の車外側上縁部から下方へと延びるようにして溝部が形成されるとともに、当該溝部は、前記第１、第２のドアの閉状態において前記延出部のうちの前記第１のシール部側の面であって前記第１のシール部と当接しない所定部位に形成されており、
前記延出部の上縁部及び前記開口部周縁との間で形成される凹部に溜まった水が、前記延出部の先端側に流れてきたとしても、前記延出部と前記第１のシール部との当接部位よりも手前の位置で、前記溝部を介して車外側へと排出案内されるよう構成したことを特徴とするシール構造。
【請求項２】
前記延出部には、車内側に突出する鉤状のフック部が形成されており、当該フック部が前記第２のドアのドアパネルに係止されていることを特徴とする請求項１に記載のシール構造。
【発明の詳細な説明】
【技術分野】
【０００１】
本発明は、車両のドア開口部をシールするためのシール構造に関するものである。
【背景技術】
【０００２】
従来、車両のドア周縁部に沿ってドアウエザストリップが設けられる。一般的に、ドアウエザストリップは、ドアフレームに取付けられる基底部と当該基底部から突出して中空部を形成するシール部とを有している。
【０００３】
また、車両のドアとして、センターピラーを設けることなく、フロントドアとリアドアとを観音扉状に設けるものが知られている（例えば、特許文献１参照）。
【０００４】
このようなタイプのドアにおいて、フロントドアには、当該フロントドア周縁部に沿ってドアウエザストリップが設けられる。一方で、リアドアには、当該リアドア周縁部のうち、フロントドアと当接する略直線状の部位以外の部位に、略コの字状のドアウエザストリップが設けられる（以下、フロントドアに設けられるドアウエザストリップを「フロントドアウエザストリップ」と称し、リアドアに設けられるドアウエザストリップを「リアドアウエザストリップ」と称す）。加えて、リアドアウエザストリップのうち上辺部の端部には、フロントドア側へと延びる略平板状の延出部が設けられる。
【０００５】
図９に示すように、このような観音扉タイプのドアにおいては、リアドア８１を閉じた後、フロントドア８２を閉じることによって、延出部８３を含むリアドアウエザストリップ８４がドアの開口部周縁８５に圧接されるとともに、フロントドアウエザストリップ８６がリアドア８１や開口部周縁８５に対して圧接され、これにより、両ドア８１，８２及び開口部周縁８５間がシールされる。このとき、リアドアウエザストリップ８４の延出部８３に対して、フロントドアウエザストリップ８６のシール部８７が圧接されるため、延出部８３の先端部８８は車内側へと入り込んだ状態となる。
【特許文献１】特開２００１−６３４８６号公報
【発明の開示】
【発明が解決しようとする課題】
【０００６】
ここで、前記延出部８３は、リアドアウエザストリップ８４の上辺部に設けられたシール部８９が徐々に変形するようにして延出形成されており、図１０に示すように、その上縁部は、前記シール部８９に連続して開口部周縁８５に対し圧接している。このため、ドア８１，８２の閉状態においては、所定の厚みを有する延出部８３の上縁部と開口部周縁８５との間で凹部９０が形成されてしまい、当該凹部９０に水が溜まってしまうおそれがある。そして、凹部９０に溜まった水が延出部８３の先端部８８側（図９の左側；車両前方側）に流れてしまうと、フロントドアウエザストリップ８６のシール部８７と延出部８３（先端部８８）との当接部位を伝って車内側へと水が浸入してしまうおそれがある。
【０００７】
本発明は上記事情を鑑みてなされたものであり、その目的は、観音扉状に配設されるドア及び開口部間のシール構造であって、車内側への水の浸入をより確実に防止することができるシール構造を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．車両の開口部の一端側にて開閉可能に支持される第１のドアと、
車両の開口部の他端側にて開閉可能に支持される第２のドアと、
前記第１のドアの周縁部に装着されるとともに、第１の基底部及び当該第１の基底部から突出形成された中空状の第１のシール部を備える第１のドアウエザストリップと、
前記第２のドアの周縁部に装着されるとともに、第２の基底部及び当該第２の基底部から突出形成された中空状の第２のシール部を備える第２のドアウエザストリップとを備え、前記第１のドア及び前記第２のドアが観音扉状に開閉する車両において、
前記第２のドアウエザストリップは、自身の上端部から前記第１のドア側に延出する延出部を有し、
前記第１、第２のドアの閉時には、前記第２のシール部及び前記延出部が前記開口部周縁に圧接するとともに、前記第１のシール部が前記延出部及び前記開口部周縁に圧接することで前記第１、第２のドア及び前記開口部周縁間をシールするシール構造であって、
前記延出部には、当該延出部の車外側上縁部から下方へと延びるようにして溝部が形成されるとともに、当該溝部は、前記第１、第２のドアの閉状態において前記延出部のうちの前記第１のシール部側の面であって前記第１のシール部と当接しない所定部位に形成されており、
前記延出部の上縁部及び前記開口部周縁との間で形成される凹部に溜まった水が、前記延出部の先端側に流れてきたとしても、前記延出部と前記第１のシール部との当接部位よりも手前の位置で、前記溝部を介して車外側へと排出案内されるよう構成したことを特徴とするシール構造。
【００１０】
尚、「観音扉状」とは、第１のドア及び第２のドアが左右に２分されるような形で開閉するという趣旨である。
【００１１】
上記手段１によれば、両ドアの閉状態において、延出部のうち、前記第１のシール部と当接しない部位には、溝部が設けられている。これにより、延出部の上縁部及び開口部周縁との間で形成された凹部に溜まった水が延出部の先端側へと流れてきたとしても、第１のシール部と延出部との当接部位よりも手前の位置で、水を車外側へと案内排出することができる。その結果、前記当接部位へと水が流れてしまうという事態を抑制することができ、ひいては車内側への水の浸入をより確実に防止することができる。
【００１２】
また、上記手段１において、前記延出部には、車内側に突出する鉤状のフック部が形成されており、当該フック部が前記第２のドアのドアパネルに係止されていることとしてもよい（手段２）。
【発明を実施するための最良の形態】
【００１３】
以下に、一実施形態について図面を参照しつつ説明する。
【００１４】
図１に示すように、本実施形態における車両としての自動車１は、第１のドアとしてのフロントドア２と、第２のドアとしてのリアドア３とを有している。また、ドア２，３は、自動車１に形成された乗降用の開口部５に対応し、いわゆる「観音開き」状に配設されている。すなわち、フロントドア２は、前記開口部５の前部において開閉可能に支持されており、リアドア３は、前記開口部５の後部において開閉可能に支持されている。尚、本実施形態では、フロントドア２が開状態となっている場合に限り、リアドア３を開状態とすることができるようになっている。
【００１５】
フロントドア２の周縁部には、図２に示すように、所定のゴム材料（例えば、ＥＰＤＭゴム）によって形成された第１のドアウエザストリップとしてのフロントドアウエザストリップ１１が装着される。尚、図１は、助手席側から見た図を示しており、図２以降は、運転席側に設けられるドアウエザストリップ１１等を示している。
【００１６】
当該フロントドアウエザストリップ１１は、フロントドア２周縁の略直線状の部位に対応する押出成形部１２，１３，１４と、コーナー部分に対応する型成形部１５，１６，１７（図の散点模様を付した部位）とを備えている。前記押出成形部１２，１３，１４は、図示しない押出成形機によって長尺状に形成される。また、前記型成形部１５，１６，１７は、隣接する押出成形部の端部を連結するようにして図示しない所定の金型装置によって形成されている。
【００１７】
さらに、図３に示すように、フロントドアウエザストリップ１１は、第１の基底部としてのフロント側基底部２０と第１のシール部としてのフロント側シール部２４を備えている。
【００１８】
前記フロント側基底部２０は、取付基部２１と当該取付基部２１から延びる車内側側壁部２２及び車外側側壁部２３とから構成されている。また、両側壁部２２，２３の先端部から中空状のフロント側シール部２４が突出形成されているとともに、当該フロント側シール部２４の中空部を仕切るようにブリッジ部２５が形成されている。さらに、特に開口部５の上辺部に対応する型成形部１５や押出成形部１２等には、上方（フロントドアウエザストリップ１１の外周側）へと延びるルーフリップ２７が形成されている。加えて、当該ルーフリップ２７の基端部にはサブリップ２８が車外側に延出形成されている。
【００１９】
尚、図３においては、図示の便宜上、フロントドアウエザストリップ１１及び後述する第２のドアウエザストリップとしてのリアドアウエザストリップ３１が離間した状態で示されているが、ドア２，３の閉時には、両ドアウエザストリップ１１，３１の端縁部同士が重なり合った状態となる。より詳しくは、ドア２，３閉時には、直線Ｌと直線Ｍとが重なり合った状態で、両ドアウエザストリップ１１，３１が配設されることとなる。
【００２０】
フロントドアウエザストリップ１１は、複数の金属板よりなるドアパネル７（図６，図７参照）に設けられた図示しないリテーナに対して取付基部２１が嵌め込まれること等によって取付けられている。さらに、ドア２，３の閉時においては、前記フロント側シール部２４が、開口部５周縁や後述する延出部５１等に圧接することでドア２，３及び開口部５周縁の間がシールされるようになっている。
【００２１】
また、型成形部１５には、後側に延びるひれ部２９が形成されている。当該ひれ部２９には、車内側へと延びるリップ部３０が形成されており、ドア２，３の閉時には、当該リップ部３０の先端部が延出部５１と当接し、ドア２，３間のシール性が高められることとなっている（図７参照）。
【００２２】
リアドア３の周縁部には、図４に示すように、所定のゴム材料（例えば、ＥＰＤＭゴム）により形成された略コの字状をなすリアドアウエザストリップ３１が装着されている。
【００２３】
リアドアウエザストリップ３１は、押出成形部３３，３４と型成形部３５，３６，３７（図の散点模様を付した部位）とを備えている。型成形部３５は、押出成形部３３の端部に連結されているとともに、型成形部３６は、前記押出成形部３３，３４を連結するように構成されている。加えて、型成形部３７は、押出成形部３４の端部に連結されている。
【００２４】
尚、前記フロントドアウエザストリップ１１と同様に、押出成形部３３，３４は、図示しない所定の押出成形機により形成されているとともに、型成形部３５，３６，３７は、隣接する押出成形部の端縁を連結するようにして図示しない所定の金型装置によって形成されている。
【００２５】
さらに、リアドアウエザストリップ３１は、図３及び図５に示すように、第２の基底部としてのリア側基底部４０と第２のシール部としてのリア側シール部４４とを備えている。
【００２６】
前記リア側基底部４０は、取付基部４１と当該取付基部４１から延びる車内側側壁部４２及び車外側側壁部４３とから構成されている。また、両側壁部４２，４３の先端部から中空状のリア側シール部４４が突出形成されているとともに、当該リア側シール部４４の中空部を仕切るようにブリッジ部４５が形成されている。加えて、車外側側壁部４３の先端から延出するルーフリップ４６及びサブリップ４７が設けられている。
【００２７】
当該リアドアウエザストリップ３１は、複数の金属板よりなるドアパネル８に設けられた図示しないリテーナに対して前記取付基部４１が嵌め込まれるとともに、取付基部４１に形成されたクリップ孔４８に対して、クリップ４９が挿通固定されることで装着されている。
【００２８】
さらに、本実施形態において、図３，図６，図７に示すように、型成形部３５には、フロントドア２側へと延出する延出部５１が形成されている。当該延出部５１は、略平板状をなすとともに、フロントドア２側へと徐々にその厚さが薄くなるように形成されている。加えて、延出部５１には、車内側に突出する鉤状のフック部５２が形成されている。当該フック部５２が、ドアパネル８の上縁部に対して係止されることで、前記延出部５１がドアパネル８に取付けられている。
【００２９】
加えて、リアドア３の閉時においては、前記リア側シール部４４及び延出部５１が、開口部５周縁に対して圧接することでドア３及び開口部５間のシールがなされるようになっている。
【００３０】
また、延出部５１は、前記リア側シール部４４が前側に向けて徐々に変形するようにして延出形成されており、当該延出部５１の上縁部５３は、ドア２，３の閉時において、前記リア側シール部４４に連続して開口部５周縁に対して圧接している。そして、ドア２，３の閉状態においては、所定の厚みを有する延出部５１の上縁部５３と開口部５周縁との間には凹部５４が形成される。
【００３１】
加えて、ドア２，３の閉状態において、延出部５１のうちフロントドア２側の一部は、フロント側シール部２４に対して当接するようになっている。このとき、延出部５１の先端部は、車内側へと入り込んだ状態となっている。
【００３２】
さて、本実施形態において、延出部５１には、ガイド手段としての溝部５５が形成されている。当該溝部５５は、前記延出部５１の上縁部５３外周側から下方（車外側）へと延びるようにして形成されたものであり、前記凹部５４に溜まった水を車外側へと排出案内可能となっている。加えて、当該溝部５５は、延出部５１のうち、両ドア２，３の閉状態において、フロント側シール部２４と当接しない部位に形成されている。
【００３３】
以上詳述したように、本実施形態では、延出部５１のうち、両ドア２，３の閉時において、前記フロント側シール部２４と当接しない所定の部位には、延出部５１の上縁部５３及び開口部５周縁との間で形成された凹部５４に溜まった水を下方へと排出案内可能な溝部５５が設けられている。これにより、凹部５４に溜まった水が延出部５１の先端側（フロントドア２側）に流れてきたとしても、フロント側シール部２４と延出部５１との当接部位よりも手前の位置で、水を車外側へと排出することができる。その結果、延出部５１の先端側へ水が流れてしまうといった事態を抑制することができ、ひいては車内側への水の浸入をより確実に防止することができる。
【００３４】
尚、上記実施形態の記載内容に限定されず、例えば次のように実施してもよい。勿論、以下において例示しない他の応用例、変更例も当然可能である。
【００３５】
（ａ）上記実施形態では、自動車１の側面の開口部５において、観音扉状に開閉するフロントドア２及びリアドア３について具体化されているが、自動車１の後部の開口部において観音扉状に開閉するバックドア等について具体化することとしてもよい。
【００３６】
（ｂ）上記実施形態では、ガイド手段として溝部５５を設けているが、ガイド手段は溝部５５に限られるものではない。例えば、図８に示すように、ガイド手段として、延出部５１の上縁部５３から上方へと延びるようにして形成された突起部６１を設けることとしてもよい。この場合には、突起部６１によって、凹部５４に溜まった水の延出部５１先端側への移動を規制しつつ、下方へと案内することができるため、溝部５５を設けた場合と同様に、車内側への水の浸入をより確実に防止することができる（但し、参考例）。
【００３７】
（ｃ）上記実施形態では、ドアウエザストリップ１１，３１を形成する素材としてＥＰＤＭゴムを採用しているが、その他にもスチレンブタジエンゴム、ブタジエンゴム、クロロプレンゴム、ブチルゴム、ニトリルゴム、エチレンプロピレン共重合ゴム、アクリルゴム等のゴム材料、又は、オレフィン系熱可塑性エラストマー（ＴＰＯ）或いは軟質のポリ塩化ビニル等の樹脂材料により構成することとしてもよい。また、シール部２４，４４等については、発泡素材等、より軟質の素材（例えば、ＥＰＤＭスポンジゴム等）を用いて形成することとしてもよい。
【００３８】
（ｄ）上記実施形態では、フロントドアウエザストリップ１１は、フロントドア２周縁部の全周にわたって取付けられる環状タイプであるが、必ずしも環状タイプでなくてもよく、フロントドア２のコーナー部分を含む周縁部に部分的に取付けられるものであってもよい。
【図面の簡単な説明】
【００３９】
【図１】本実施形態における自動車の概略構成を示す側面模式図である。
【図２】本実施形態におけるフロントドアウエザストリップを示す正面模式図である。
【図３】本実施形態におけるフロントドアウエザストリップ及びリアドアウエザストリップの一部を示す正面図である。
【図４】本実施形態におけるリアドアウエザストリップを示す正面模式図である。
【図５】図３のＪ−Ｊ線断面図である。
【図６】図３のＫ−Ｋ線断面図である。
【図７】図３のＬ−Ｌ線断面図である。
【図８】別の実施形態におけるガイド手段としての突起部等を示す部分拡大断面図である（但し、参考例）。
【図９】従来技術における延出部及びシール部等を示す部分拡大断面図である。
【図１０】従来技術における凹部等を示す部分拡大断面図である。
【符号の説明】
【００４０】
１…車両としての自動車、２…第１のドアとしてのフロントドア、３…第２のドアとしてのリアドア、５…開口部、１１…第１のドアウエザストリップとしてのフロントドアウエザストリップ、２０…第１の基底部としてのフロント側基底部、２４…第１のシール部としてのフロント側シール部、３１…第２のドアウエザストリップとしてのリアドアウエザストリップ、４０…第２の基底部としてのリア側基底部、４４…第２のシール部としてのリア側シール部、５１…延出部、５３…上縁部、５４…凹部、５５…ガイド手段としての溝部。
【図１】
0004997046.tif 000002
【図２】
0004997046.tif 000003
【図３】
0004997046.tif 000004
【図４】
0004997046.tif 000005
【図５】
0004997046.tif 000006
【図６】
0004997046.tif 000007
【図７】
0004997046.tif 000008
【図８】
0004997046.tif 000009
【図９】
0004997046.tif 000010
【図１０】
0004997046.tif 000011